(57)【要約】【課題】入力パネルと筐体との間隙への異物の侵入を防止して入力パネルの誤動作が発生するのを防止するとともに、薄型化を図る。【解決手段】第１検出基体３を、薄膜材により構成するとともに、第２検出基体４と比較して平面形状が大きく形成し、筐体８は、タッチパネル２の側面に対向して配置される側部９と、底面に対向して配置される支持部１０とを有し、第１検出基体３によって筐体８の側部９とタッチパネル２の側面との間隙１４を筐体８の入力側から被覆するように、第１検出基体３の内面３ａを筐体８の側部９における入力側の頂面９ａに対向させて、タッチパネル２を筐体８に収納し、第１検出基体３の内面３ａを、側部９の頂面９ａに貼着する。【選択図】      図２
2008015885.tif 000002
【特許請求の範囲】
【請求項１】
一対の検出基体が対向して配置されており、入力手段による操作によってデータの入力が可能な入力パネルと、前記入力パネルを収納する筐体とを有する入力装置であって、
前記両検出基体のうち入力側に位置する第１検出基体は、薄膜材により構成され、反入力側に位置する第２検出基体と比較して平面形状が大きく形成されており、
前記筐体は、前記入力パネルの側面に対向して配置される側部と、底面に対向して配置される支持部とを有し、
前記第１検出基体によって前記筐体の前記側部と前記入力パネルの側面との間隙を前記筐体の入力側から被覆するように、前記第１検出基体における反入力側の面である内面を前記筐体の前記側部における入力側の頂面に対向させて、前記入力パネルが前記筐体に収納されていることを特徴とする入力装置。
【請求項２】
前記第１検出基体の内面は、前記側部の前記頂面に貼着されていることを特徴とする請求項１に記載の入力装置。
【請求項３】
前記第１検出基体の内面側には第１検知手段が形成され、前記第２検出基体における入力側である内面側には第２検知手段が形成され、
前記側部は、前記第１検知手段と前記第２検知手段との間隙を所定の寸法に保持するようになっており、前記側部の頂面には、前記第１検出基体の内面との当接部分を基端として、前記筐体における前記入力パネルが配置される内部の方向に傾斜する傾斜面が形成されていることを特徴とする請求項１または請求項２に記載の入力装置。
【請求項４】
前記傾斜面は、前記第２検出基体の内面との当接部分を基端として、前記第２検知手段における入力側の頂面の高さ位置まで傾斜することを特徴とする請求項３に記載の入力装置。
【請求項５】
前記側部は、前記第１検出基体の内面と、前記第２検知手段が形成されている前記第２検出基体の内面との間隙に配置されるように、前記入力パネルの配置側に突出して形成された突出部を有し、
前記第２検知手段における前記突出部との対向部分を除く部分は、第２検出手段における他の部分と比較して高さ寸法を高く形成された上段部とされており、
前記傾斜面の終端部の高さ位置は、前記上段部の頂面の高さ位置とすることを特徴とする請求項３または請求項４に記載の入力装置。
【請求項６】
前記突出部における反入力側の面は、前記第２検出基体の内面に貼着されていることを特徴とする請求項５に記載の入力装置。
【請求項７】
前記第１検出基体の入力側または反入力側における外周に、装飾層が設けられていることを特徴とする請求項１から請求項６のいずれか１項に記載の入力装置。
【請求項８】
前記装飾層は、前記入力パネルにおけるデータの入力が可能な入力領域を除く非入力領域に設けられていることを特徴とする請求項７に記載の入力装置。
【請求項９】
前記第１検出基体の入力側の面に前記装飾層が設けられており、前記第１検出基体の入力側に前記装飾層を被覆する装飾用フィルムが設けられている請求項６に記載の入力装置。
【発明の詳細な説明】
【技術分野】
【０００１】
本発明は、ペン形状の筆記具や指先等の入力手段による操作によってデータの入力が可能な入力パネルと、この入力パネルを収納する筐体とを備えた入力装置に関する。
【背景技術】
【０００２】
近年、ペン形状の筆記具や指先等の入力手段を近接または接触等させることによりデータを入力可能なタッチパネルやタブレット等の入力パネルが、ＰＤＡ（Personal Digital Assistant）やゲーム機器等の電気機器におけるデータ入力手段として多用されている。
【０００３】
入力パネルにデータを入力するための座標情報を検出する方法としては、従来より抵抗膜式、電磁誘導式、静電式、超音波式、光学式等の検出方法が知られている。図７は、従来の抵抗膜式の入力パネルを備えた入力装置の一例を示す概略断面図である。図７に示すように、従来の入力パネル２４においては、一対の検出基体２８、２９が所定の間隙をもって対向して配置され、両検出基体２８、２９の相互に対向する内面側には、それぞれ光透過性の材料からなる複数の抵抗膜３０ａ、３０ｂが形成されている。そして、この入力パネル２４は、図示しない筆記具等を用いて両検出基体２８、２９のうち入力側に位置する第１検出基体２８の任意の位置が押圧操作されると、第１検出基体２８が撓んで第１検出基体２８の抵抗膜３０ａが反入力側に位置する第２検出基体２９の抵抗膜３０ａと接触し、この接触点における両抵抗膜３０ａ、３０ｂの間の抵抗比によって、この接触点の座標情報を検出し、この座標情報に基づいてデータを入力するようになっている。
【０００４】
この入力パネル２４を備えた入力装置２３は、入力パネル２４を収納する筐体２１を有しており、この筐体２１は、入力パネル２４の側面に対向して配置される側部２５と、入力側の頂面における外周縁に対向して配置され入力パネル２４の頂面を押さえる頂壁２２と、反入力側の底面における外周縁に対向して配置され入力パネル２４を支持する支持部３１とを備え、内部に入力パネル２４を収納・保持するようになっている（例えば、特許文献１参照）。
【０００５】
【特許文献１】特開２００３−１５７１５０号公報
【発明の開示】
【発明が解決しようとする課題】
【０００６】
ここで、近年、前述のような入力装置２３を備えるゲーム機器等の電気機器の小型化・薄型化にともない、前記入力装置２３自体の薄型化が望まれている。そこで、例えば、図８に示すように、筐体２１のうち、頂壁２２を形成しないことにより、入力装置２３の薄型化を図ることが考えられている。
【０００７】
しかし、前述のような頂壁２２が形成されない筐体２１に入力パネル２４を収納した場合、入力パネル２４の側面と筐体２１の側部２５との間隙２６にごみや水分等の異物２７が侵入してしまうおそれがあった。そして、このような場合には、例えば、入力パネル２４と筐体２１との間隙に侵入した異物を介して入力パネル２４の内部に水分が浸透し、これにより、入力パネル２４における各抵抗膜３０ａ、３０ｂ間において短絡が発生してしまい、この結果、入力パネル２４の誤動作を引き起こしてしまうおそれがあるという問題を有していた。
【０００８】
本発明はこれらの点に鑑みてなされたものであり、入力パネルと筐体との間隙への異物の侵入を防止して入力パネルの誤動作が発生するのを防止するとともに、薄型化を図ることが可能な入力装置を提供することを目的とする。
【課題を解決するための手段】
【０００９】
前記目的を達成するため、本発明に係る入力装置の特徴は、一対の検出基体が対向して配置されており、入力手段によって操作することによりデータの入力が可能な入力パネルと、前記入力パネルを収納する筐体とを有する入力装置であって、前記両検出基体のうち入力側に位置する第１検出基体は、薄膜材により構成され、反入力側に位置する第２検出基体と比較して平面形状が大きく形成されており、前記筐体は、前記入力パネルの側面に対向して配置される側部と、底面に対向して配置される支持部とを有し、前記第１検出基体によって前記筐体の前記側部と前記入力パネルの側面との間隙を前記筐体の入力側から被覆するように、前記第１検出基体の内面を前記筐体の前記側部における入力側の頂面に対向させて、前記入力パネルが前記筐体に収納されている点にある。
【００１０】
この本発明に係る入力装置によれば、第１検出基体によって筐体の側部と入力パネルの側面との間隙が筐体の入力側から被覆されているので、入力パネルの頂面のを被覆する頂壁を筐体に備えることなく、入力パネルと筐体との間隙にごみや水分等の異物が侵入してしまうのを確実に防止することができる。さらに、第１検出基体は薄膜材によって形成されているために、入力装置の薄型化を図ることができる。
【００１１】
また、本発明に係る他の入力装置の特徴は、前記第１検出基体の内面は、前記側部の前記頂面に貼着されている点にある。
【００１２】
この本発明に係る他の入力装置によれば、第１検出基体の内面は、側部の頂面に貼着されているので、入力パネルを筐体に固定し、入力パネルが筐体から落下してしまうのを確実に防止することができるとともに、入力パネルと筐体との間に異物が侵入するのをより確実に防止することができる。
【００１３】
また、本発明に係る他の入力装置の特徴は、前記第１検出基体の内面側に第１検知手段が形成され、前記第２検出基体における入力側である内面側には第２検知手段が形成され、前記側部は、前記第１検知手段と前記第２検知手段との間隙を所定の寸法に保持するようになっており、前記側部の頂面には、前記第１検出基体の内面との当接部分を基端として、前記筐体における前記入力パネルが配置される内部の方向に傾斜する傾斜面が形成されている点にある。
【００１４】
この本発明に係る他の入力装置によれば、側部の頂面は、第１検出基体の内面との当接部を基端として、筐体における入力パネルが配置される内部の方向に傾斜する傾斜面を有している。このため、入力パネルの入力領域における最外縁の近傍において第１検出基体を押圧した場合であっても、第１検出基体は、傾斜面に沿って折曲されるので、第１検出基体が過度に折曲されてしまうのを防止することができる。この結果、第１検出基体における折曲された部分に形成された第１検知手段に亀裂等が発生してしまうのを防止することができる。
【００１５】
本発明に係る他の入力装置の特徴は、前記傾斜面が、前記第２検出基体の内面との当接部分を基端として、前記第２検知手段における入力側の頂面の高さ位置まで傾斜する点にある。
【００１６】
この本発明に係る他の入力装置によれば、側部の頂面は、第１検出基体の内面との当接部を基端として、第２検出基体における第２検知手段の入力側の頂面の高さ位置まで傾斜する傾斜面を有している。このため、入力パネルの入力領域における最外縁の近傍において第１検出基体を押圧した場合であっても、第１検出基体は、傾斜面に沿って折曲されるので、第１検出基体が過度に折曲されてしまうのを防止することができる。この結果、第１検出基体における折曲された部分に形成された第１検知手段に亀裂等が発生してしまうのを防止することができる。
【００１７】
本発明に係る他の入力装置の特徴は、前記側部は、前記第１検出基体の内面と、前記第２検知手段が形成されている前記第２検出基体の内面との間隙に配置されるように、前記入力パネルの配置側に突出して形成された突出部を有し、前記第２検知手段における前記突出部との対向部分を除く部分は、第２検出手段における他の部分と比較して高さ寸法を高く形成された上段部とされており、前記傾斜面の終端部の高さ位置は、前記上段部の頂面の高さ位置とする点にある。
【００１８】
この本発明に係る他の入力装置によれば、第２検知手段の所定の部分に上段部を形成することにより、上段部が形成されている部分の第２検知手段と第１検知手段との間隙寸法を調整することができる。このため、上段部の高さ寸法を調整することにより、突出部の頂面における傾斜面の傾斜角度を所定の角度となるように容易に設定することができる。
【００１９】
本発明に係る他の入力装置の特徴は、前記突出部における反入力側の面は、前記第２検出基体の内面に貼着されている点にある。
【００２０】
この本発明に係る入力装置によれば、突出部を第２検出基体の内面に貼着することにより、入力パネルを筐体に固定することができるとともに、入力パネルと筐体との間に異物が侵入するのをより確実に防止することができる。
【００２１】
また、本発明に係る他の入力装置の特徴は、前記第１検出基体の入力側または反入力側における外周に、装飾層が設けられている点にある。
【００２２】
この本発明に係る他の入力装置によれば、入力装置の入力側から、第２基体が対向していない第１検出基体の外周を容易に区別することが可能となる。これにより、入力装置において、筆記用具や指等の入力手段によって第１基体の外周を操作してしまうという誤動作を防止することができ、入力装置における入力パネルの操作性の向上を図ることができる。また、第１検出基体の外周に設けられた装飾層により、第２検出基体の側面と筐体の側部との間隙を被覆することができる。入力装置の入力側から、第２検出基体の側面と筐体の側部との間隙が視認されてしまうのを防止することができる。
【００２３】
本発明に係る他の入力装置の特徴は、前記装飾層が、前記入力パネルにおけるデータの入力が可能な入力領域を除く非入力領域に設けられている点にある。
【００２４】
この本発明に係る他の入力装置によれば、入力装置の入力側から、入力パネルにおける入力領域と非入力領域とを容易に区別することが可能となる。これにより、入力装置において、筆記用具や指等の入力手段によって非入力領域を操作してしまうという誤動作を防止することができ、入力装置における入力パネルの操作性の向上を図ることができる。
【００２５】
さらに、本発明に係る他の入力装置の特徴は、前記第１検出基体の入力側の面に前記装飾層が設けられており、前記第１検出基体の入力側に前記装飾層を被覆する装飾用フィルムが設けられている点にある。
【００２６】
この本発明に係る他の入力装置によれば、入力装置の入力側から、入力パネルにおける入力領域と非入力領域とを容易に区別することが可能となる。これにより、入力装置において、筆記用具や指等の入力手段によって非入力領域を操作してしまうという誤動作を防止することができ、入力装置における入力パネルの操作性の向上を図ることができる。また、装飾用フィルムによって装飾層を露出させることなく保護することができる。
【発明の効果】
【００２７】
以上述べたように、本発明に係る入力装置によれば、第１検出基体はフィルムにより構成されており、従来の筐体における頂壁よりも厚さ寸法が薄いので、入力装置の薄型化を図ることができるとともに、入力パネルと筐体との間隙にごみや水分等の異物が侵入するのを防止することにより、入力パネルの誤動作を防止することができる。
【発明を実施するための最良の形態】
【００２８】
以下、本発明に係る入力装置の実施形態を図１から図６を参照して説明する。
【００２９】
ここで、本実施形態においては、入力装置が有する入力パネルとして、抵抗膜式のタッチパネルを用いて説明するが、本発明の入力パネルはこれに限定されるものではない。
【００３０】
図１は、本実施形態に係る入力装置を示す概略平面図であり、図２は、図１の２−２における断面図である。
【００３１】
図１および図２に示すように、本実施形態に係る入力装置１は、タッチパネル２を有し、タッチパネル２は、光透過性の材料からなる一対の検出基体３、４を有する。両検出基体３、４のうち入力側に配置される第１検出基体３は、薄膜材の一例としてのポリエステル等の材料からなる膜厚の薄い可撓性を有するフィルムからなる第１基体７ａを有し、一方、反入力側に配置される第２検出基体４は、ガラスやアクリル等の材料からなる基板からなる第２基体７ｂを有しており、第１基体７ａは、第２基体７ｂと比較して平面形状が大きく形成されている。
【００３２】
両基体７ａ、７ｂの相互に対向する内面には、それぞれ酸化インジウム錫等の光透過性の材料からなる第１検知手段および第２検知手段としての抵抗膜６ａ、６ｂが形成されており、各抵抗膜６ａ、６ｂには、それぞれ座標検出用の電圧が印加されるようになっている。また、第２検出基体４に形成された抵抗膜６ｂにおける入力側の面には、第１検出基体３と第２検出基体４との間隙を所定の寸法に保持するための図示しないスペーサが設けられている。
【００３３】
抵抗膜６ａ、６ｂがそれぞれ形成された両検出基体３、４は、平面形状において第１検出基体３の外周縁部分が第２検出基体４の外周縁から突出する位置において、所定の間隙をもって対向して配置され、第２検出基体４の内面４ａにおける外周縁に配置された接着層５を介して一体に形成されている。
【００３４】
そして、このタッチパネル２は、図示しない筆記具や指等の入力手段によって第１検出基体３の任意の位置が押圧操作されると、第１検出基体３が撓んで第１検出基体３の抵抗膜６ａが、第２検出基体４の抵抗膜６ｂと接触し、この接触点における両抵抗膜６ａ、６ｂの間の抵抗比によって、この接触点の座標情報を検出し、この座標情報に基づいてデータが入力されるようになっている。
【００３５】
また、入力装置１は、タッチパネル２を収納する樹脂材料等からなる筐体８を有し、筐体８は、タッチパネル２の側面すなわち接着層５および第２検出基体４の側面の全体に対向して配置される側部９と、タッチパネル２の底面すなわち第２検出基体４の反入力側の面における外周縁部分に対向して配置されてタッチパネル２を支持する支持部１０とを有し、側部９および支持部１０は一体に形成されている。
【００３６】
そして、タッチパネル２は、第１検出基体３によって筐体８の側部９とタッチパネル２の側面との間隙１４を筐体８の入力側から被覆するように、第１検出基体３の内面３ａにおける外周縁を、側部９における入力側の頂面９ａのうちタッチパネル２が収納される内部側の内側端縁に対向させることによって、筐体８の内部に収納されるようになっている。また、第１検出基体３の内面３ａにおける外周縁は、側部９の頂面９ａにおける内側端縁に、貼着材１２を用いて貼着されている。
【００３７】
次に、本実施形態の作用について説明する。
【００３８】
本実施形態によれば、第１検出基体３の第１基体７ａは第２検出基体４の第２基体７ｂと比較して平面形状において大きく形成されている。そして、タッチパネル２は、第１検出基体３によって筐体８の側部９とタッチパネル２の側面との間隙１４を筐体８の入力側から被覆するように、第１検出基体３の内面３ａにおける周縁部分を、側部９における入力側の頂面９ａのうちタッチパネル２が収納される内部側の内側端縁に対向させることによって、筐体８の内部に収納されている。このように、第１検出基体３によって筐体８の側部９とタッチパネル２の側面との間隙１４が筐体８の入力側から被覆されているので、タッチパネル２の頂面９ａの外周縁部分を被覆する頂壁を筐体８に備えることなく、タッチパネル２と筐体８との間隙１４にごみや水分等の異物が侵入してしまうのを確実に防止することができる。
【００３９】
したがって、第１検出基体３はフィルムにより構成されており、従来の筐体２１における頂壁２２よりも厚さ寸法が小さいので、入力装置１の薄型化を図ることができるとともに、タッチパネル２と筐体８との間隙１４に異物が侵入するのを防止して、タッチパネル２の誤動作の発生するのを防止することができる。
【００４０】
また、第１検出基体３の内面３ａは、側部９の頂面９ａに貼着されているので、タッチパネル２を筐体８に固定し、タッチパネル２が筐体８から落下してしまうのを確実に防止することができるとともに、タッチパネル２と筐体８との間に異物が侵入するのをより確実に防止することができる。
【００４１】
次に、本発明に係る入力装置１の第２の実施形態について図３および図４を参照して説明する。
【００４２】
ここで、第２の実施形態に係る入力装置について、第１の実施形態と同一の構成については、同一の符号を用いて説明し、詳説を省略する。
【００４３】
図３は、第２の実施形態における入力装置１を示す概略平面図、図４は図３の入力装置１の４−４における断面図である。
【００４４】
図３および図４に示すように、タッチパネル２における第１検出基体３の反入力側の面の外周には、文字や図形等の装飾を印刷して形成される装飾層１６が設けられている。本実施形態においては、タッチパネル２における第１検出基体３の反入力側の面のうち、タッチパネル２におけるデータの入力が可能な入力領域を除く非入力領域、すなわち、両検出基体３、４の内面における抵抗膜６ａ、６ｂが形成されていない位置や、両検出基体３、４を一体に形成する接着層５の配置位置およびその近傍には、本実施形態においてはタッチパネル２の外周縁部分に相当する位置に、装飾層１６が形成されている。
【００４５】
そして、タッチパネル２は、第１検出基体３の外縁部分の内面３ａが装飾層１６を介して筐体８の側部９における頂面９ａに対向するように、筐体８の内部に収納されており、第１検出基体３の内面３ａは、装飾層１６を介して筐体８の側部９における頂面９ａに貼着材１２を用いて貼着されている。
【００４６】
次に、第２の実施形態の作用について説明する。
【００４７】
本実施形態によれば、タッチパネル２の非入力領域に装飾層１６が設けられており、これにより、入力装置１の入力側から、タッチパネル２における入力領域と非入力領域とを視認によって容易に判別することが可能となる。
【００４８】
したがって、筆記用具等により非入力領域を押圧操作してしまうという誤動作を防止することができ、入力装置１におけるタッチパネル２の操作性の向上を図ることができる。
【００４９】
また、第１の実施形態と同様に、従来の筐体２１における頂壁２２を形成せずに、頂壁２２よりも厚さ寸法が小さいタッチパネル２の第１検出基体３によってタッチパネル２と筐体８との間隙１４を被覆しながらタッチパネル２を筐体８に収納するので、入力装置１の薄型化を図ることができるとともに、タッチパネル２と筐体８との間隙１４への異物の侵入を防止し、タッチパネル２の誤動作の発生を防止することができる。
【００５０】
さらに、装飾層１６によって第２検出基体４の側面と筐体８の側部９との間隙を被覆することができ、これにより、入力装置１の入力側から、第２検出基体４の側面と筐体８の側部９との間隙が視認されてしまうのを防止することができる。
【００５１】
なお、第２の実施形態においては、装飾層１６が第１検出基体３の反入力側の面に設けられているが、これに限定されるものではない。
【００５２】
図５は、装飾層１６を備えたタッチパネル２を有する入力装置１のさらに他の実施形態を示す概略断面図である。図５に示すように、この入力装置１におけるタッチパネル２においては、第１検出基体３の入力側の面に装飾層１６が設けられている。このタッチパネル２は、タッチパネル２における非入力領域に相当する位置に文字や模様等の装飾が印刷された装飾層１６を有する装飾用フィルム１７を有し、この装飾用フィルム１７は、第１検出基体３の入力側に、装飾層１６が第１検出基体３に対向するように配置されている。このタッチパネル２においても、タッチパネル２における入力領域と非入力領域とを視認により容易に判別することができ、これにより、筆記用具等による誤動作を防止して、入力装置１におけるタッチパネル２の操作性の向上を図ることができる。また、装飾用フィルム１７により、装飾層を露出することなく保護することができる。
【００５３】
次に、本発明に係る入力装置の第３の実施形態について、図６および図７を用いて説明する。
【００５４】
図６は、第３の実施形態に係る入力装置の要部を示す概略断面図である。ここで、第３の実施形態に係る入力装置について、第１の実施形態に係る入力装置１と同一の構成については、同一の符号を用いて説明し、詳説を省略する。
【００５５】
図６に示すように、筐体８における頂面９ａのうち抵抗膜６ａが形成された第１検出基体３の内面３ａにおける外周縁部分に対向する位置には、凹部１８が形成されている。この凹部１８には、両面テープ等の貼着材１２が配置されており、この貼着材１２を介して、第１検出基体３の内面３ａは、筐体８の頂面９ａに貼着されている。
【００５６】
筐体８の側部９は、第１検出基体３の内面３ａに当接するとともに、第１検出基体３の第１抵抗膜６ａと、第２検出基体４の第２抵抗膜６ｂとの間隙を所定の寸法に保持するようになっている。本実施形態においては、側部９には、第１検出基体３の内面３ａと、第２検出基体４の内面４ａとの間隙に配置されるように、タッチパネル２の配置側に突出する突出部１９が形成されており、この突出部１９により、両内面３ａ、４ａの間隙、すなわち第１抵抗膜６ａと第２抵抗膜６ｂとの間隙を所定の寸法に保持するようになっている。なお、側部９が第１抵抗膜６ａと第２抵抗膜６ｂとの間隙を所定の寸法に保持する構成としては、本実施形態の形状に限定されるものではない。例えば、側部９に第２検出基体４の反入力側の面を支持する支持部を形成し、側部９の頂面９ａによって第１検出基体３の内面３ａを支持するとともに、支持部によって第２検出基体４の反入力側の面を支持することにより、側部９が第１抵抗膜６ａと第２抵抗膜６ｂとの間隙を所定の寸法に保持するようにしてもよい。
【００５７】
側部９における突出部１９の頂面９ａには、第１検出基体３の内面３ａとの当接部分を基端として、筐体８におけるタッチパネル２が配置される内部の方向に傾斜する傾斜面２０が形成されている。本実施形態においては、傾斜面２０は、第２抵抗膜６ｂにおける入力側の頂面の高さ位置まで傾斜する様に形成されている。
【００５８】
また、突出部１９は、突出部１９における反入力側の面が第２検出基体４の内面４ａ（本実施形態においては第２抵抗膜６ｂの内面）に対向するように、筐体８の側部９からタッチパネル２の配置側に突出するように形成されており、突出部１９における反入力側の面は、第２検出基体４の内面４ａに貼着材１５を用いて貼着されている。
【００５９】
第２抵抗膜６ｂにおける突出部１９との対向部分を除く部分は、第２抵抗膜６ｂにおける他の部分と比較して高さ寸法が高く形成された上段部１３とされており、突出部１９における傾斜面２０の終端部の高さ位置は、上段部１３の入力側の頂面の高さ位置に形成されている。
【００６０】
また、この傾斜面２０の傾斜角度（θ）は、第１検出基体３が入力領域の最外縁の近傍、すなわち突出部１９の近傍において入力側から押圧された場合に、傾斜面２０に沿って折曲された第１検出基体３の内面３ａの第１抵抗膜６ａの表面抵抗値が、折曲されていない場合と比較してほぼ変化しない程度に設定される。この傾斜角度（θ）は、隣辺（傾斜面の基端部と終端部とに相当する部分の間隙寸法）をＬとし、対辺（第１抵抗膜６ａと第２抵抗膜６ｂとの間隙寸法）をｈとするとき、θ＝ｔａｎ−１ｈ／Ｌ≦２．９°であることが好ましい。
【００６１】
このような入力装置１のタッチパネル２においては、第１および第２の各実施形態に係る入力装置１のタッチパネル２と異なり、第１検出基体３と第２検出基体４との間隙に接着層５が配置されていない。
【００６２】
次に、本実施形態の作用について説明する。
【００６３】
本実施形態によれば、突出部１９は、第１検出基体３の内面３ａとの当接部を基端として、第２抵抗膜６ｂにおける入力側の頂面の高さ位置まで傾斜する傾斜面２０を有している。このため、突出部１９の近傍において第１検出基体３を押圧した場合であっても、第１検出基体３は、傾斜面２０に沿って折曲されるので、第１検出基体３が過度に折曲されてしまうのを防止することができる。
【００６４】
したがって、本実施形態によれば、第１検出基体３が入力領域の最外縁の近傍において入力側から押圧された場合であっても、第１検出基体３を突出部１９の傾斜面２０に沿って折曲させて、第１検出基体３が過度に折曲されてしまうのを防止することにより、第１検出基体３における折曲された部分に形成された第１抵抗膜６ａに亀裂等が発生してしまうのを防止することができる。
【００６５】
また、この傾斜面２０の傾斜角度（θ）を、第１検出基体３が傾斜面２０に沿って折曲された場合に対応する第１抵抗膜６ａの表面抵抗値がほぼ変化しない程度に設定し、さらにはθ＝ｔａｎ−１ｈ／Ｌ≦２．９°に設定することにより、第１検出基体３が過度に折曲されて、第１抵抗膜６ａに亀裂等が発生してしまうのをより確実に防止することができる。
【００６６】
さらに、第２抵抗膜６ｂに上段部１３を形成することにより、上段部が形成されている部分の第２抵抗膜６ｂと第１抵抗膜６ａとの間隙寸法を調整することができる。このため、上段部１３の高さ寸法を調整することにより、傾斜面２０の傾斜角度（ｔａｎ−１θ）を所定の角度となるように設定することができる。
【００６７】
さらにまた、突出部１９を貼着材１５を介して第２検出基体４の内面４ａに貼着することにより、タッチパネル２を筐体８に固定することができるとともに、タッチパネル２と筐体８との間に異物が侵入するのをより確実に防止することができる。
【００６８】
また、筐体８の側部９における頂面９ａに、筐体８と第１検出基体３の内面３ａとを貼着するための貼着材１２を配置する凹部１８が形成されており、これにより、筐体８の頂面とタッチパネル２の入力側の面とをより面一にすることができる。
【００６９】
さらに、図６には図示しないが、図４および図５と同様にして、第１検出基体３のデータ入力が可能な入力領域を除く非入力領域（本実施形態においては、第２検出基体４の上段部１３の外縁より外側部分）を覆う装飾層を設けてもよい。
【００７０】
なお、本発明は前記各実施形態に限定されるものではなく、必要に応じて種々変更することが可能である。
【００７１】
例えば、前記各実施形態においては、筐体８の側部９はタッチパネル２からなる入力パネルの側面全体に対向して形成されているとともに、筐体８の支持部１０は入力パネルの底面の外周縁に対向して形成されているが、これに限定されるものではなく、少なくとも入力パネルの側面および底面の一部に対向する側部９および支持部１０を有し、入力パネルを収納・保持することができればよい。
【図面の簡単な説明】
【００７２】
【図１】本発明に係る入力装置の一実施形態を示す概略平面図
【図２】図１の入力装置の２−２における断面図
【図３】本発明に係る入力装置の他の実施形態を示す概略平面図
【図４】図３の入力装置の４−４における断面図
【図５】本発明に係る入力装置のさらに他の実施形態を示す概略断面図
【図６】本発明に係る入力装置のさらに他の実施形態の要部を示す概略断面図
【図７】従来の入力装置の一例を示す概略断面図
【図８】従来の入力装置の他の例を示す概略断面図
【符号の説明】
【００７３】
１  入力装置
２  タッチパネル
３  第１検出基体
３ａ  内面
４  第２検出基体
５  接着層
６  抵抗膜
７ａ  第１基体
７ｂ  第２基体
８  筐体
９  側部
９ａ  頂面
１０  支持部
１２  貼着材
１４  間隙
【図１】
2008015885.tif 000003
【図２】
2008015885.tif 000004
【図３】
2008015885.tif 000005
【図４】
2008015885.tif 000006
【図５】
2008015885.tif 000007
【図６】
2008015885.tif 000008
【図７】
2008015885.tif 000009
【図８】
2008015885.tif 000010